(57)【要約】【課題】底部が強固で耐久力があり、一方収容物が少なくなったり無くなっても、底面の水平・平面性が維持され、展示会の展示品の整理用や販売用ショウケースの商品の整理・展示用に好適に使用できる折り畳み容器を提供すること。【解決手段】第１長側面部と、第１短側面部と，第２長側面部と、第２短側面部と、第１長側面部の第１下辺から延びた長方形の上長底面部と、第２長側面部の第２下辺から延びた下長底面部と、第１短側面部の第３下辺から延びた台形の第１短底面部と、第２短側面部の第４下辺から延びた台形の第２短底面部とを有し、第１短底面部から延びた第１のりしろが、第３下辺の延長方向に関し上長底面部側の端辺より凹みかつ第１折り線に沿った切り込みを有し、第２のりしろが、第４下辺の延長方向に関し下長底面部側の端辺より凹みかつ第２折り線に沿った切り込みを有する折り畳み容器。【選択図】図１
2018135143.tif 000002
【特許請求の範囲】
【請求項１】
第１長側面部（Ａ）と、第１短側面部（Ｂ）と，第２長側面部（Ｃ）と、第２短側面部（Ｄ）とを有し、
第１長側面部（Ａ）の第１下辺（１）から延びた長方形の下長底面部（Ｆ）と、第２長側面部（Ｃ）の第２下辺（２）から延びた上長底面部（Ｅ）と、第１短側面部（Ｂ）の第３下辺（３）から延びた台形の第１短底面部（Ｇ）と、第２短側面部（Ｄ）の第４下辺（４）から延びた台形の第２短底面部（Ｈ）とを有し、
上長底面部（Ｅ）の先端に設けられた突起（５）と、第１下辺（１）に設けられて前記突起（５）が挿入される溝（１０）とを有し、
第１短底面部（Ｇ）が、第１短側面部（Ｂ）の第３下辺（３）に対し４５°傾斜した第１折り線（１２）を介してかつ該第１折り線（１２）から下長底面部（Ｆ）の方向へ延び、下長底面部（Ｆ）に貼付される第１のりしろ（Ｊ）を有し、
第２短底面部（Ｈ）が、第２短側面部（Ｄ）の第４下辺（４）に対し４５°傾斜した第２折り線（１４）を介してかつ該第２折り線（１４）から上長底面部（Ｅ）の方向へ延び、上長底面部（Ｅ）へ貼付される第２のりしろ（Ｋ）を有し、
上長底面部（Ｅ）の第２短底面部（Ｈ）側の領域が、上長底面部（Ｅ）の先端側が第２長側面部（Ｃ）と前記第２短側面部（Ｄ）との第１境界辺（６）の延長線から離れるように傾斜した強化山折り線（１６）を有し、下長底面部（Ｆ）の第２短底面部（Ｇ）側の先端側が、第１長側面部（Ａ）と第１短側面部（Ｂ）との第２境界辺（７）の延長線から離れるように傾斜し、
第１のりしろ（Ｊ）が、第３下辺（３）の延長方向に関し下長底面部（Ｆ）側の端辺（２４）より凹みかつ第１折り線（１２）に沿った第１切り込み（２２）を有し、第２のりしろ（Ｋ）が、第４下辺（４）の延長方向に関し上長底面部（Ｅ）側の端辺（２０）より凹みかつ第２折り線（１４）に沿った第２切り込み（２６）を有することを特徴とする折り畳み容器。
【請求項２】
前記第１長側面部（Ａ）と、第１短側面部（Ｂ）と，第２長側面部（Ｃ）と、第２短側面部（Ｄ）との内の少なくとも一つが、通気孔を有することを特徴とする請求項１に記載の折り畳み容器。
【請求項３】
前記第１長側面部（Ａ）と、第１短側面部（Ｂ）と，第２長側面部（Ｃ）と、第２短側面部（Ｄ）との少なくとも一つが、上端にタグ有することを特徴とする請求項１に記載の折り畳み容器。
【発明の詳細な説明】
【技術分野】
【０００１】
本発明は、折り畳み容器、さらに詳しくは、展張して商品等を区分し整理して陳列する等のために使用され、また運搬・保管に都合良く折り畳むことができ、さらにこれら展張及び折り畳みを何ら磨り減りや破壊がなく繰り返してできる折り畳み容器に関する。
【０００２】
本明細書において、裁断したシートを折り曲げたり貼付して、ワンタッチで箱状にできるようにすることを「組み立て」と言い、組み立てたものを箱状にすることを「展張」または「セットアップ」と言い、収容物のない空の展張したものを押し潰して平面状にすることを「折り畳む」という。
【背景技術】
【０００３】
従来、陳列棚、陳列ショウケース等で商品を整列させて配置する場合、剥き出しで台無しで配置したり、トレーを使用したり、蓋部を除去して開封する段ボール箱の残部をトレーと同じように使用する等が行われている。
剥き出しで陳列棚に直接置く場合、商品を取り出すことにより隣接した他の商品が移動し、商品の整列を維持することが困難であり、並べ換えも手数がかかり、困難である。
トレーは、周囲の側部壁が低く、商品等がトレーから滑り出したり、積み上げた商品が崩れてしまう恐れがある。一方、側部壁が高いトレーは、トレーの運搬や保管に不便であるという問題がある。
前記蓋部を除去して開封する箱は、一般に使い捨てであり、資源の無駄であるばかりでなく、ゴミ廃棄の問題も発生する。
【０００４】
蓋部を除去して開封する箱に類似するものとして、合成樹脂の成形品であって、展張、組み立て、折り畳み、分解等が可能な容器もある。しかし、合成樹脂の成形は、構成部品毎に高い製造コストを要する成形用金型が必要であり、少数の製造には利用されていないのが実情である。従って、少数製造の箱は、厚紙や段ボール紙を使用し、裁断及び貼付によって形成することが製造コストの面から望ましい。
【０００５】
厚紙や段ボール紙を使用し、裁断によって形成する容器としては、以下に説明する底部構造を有する紙箱が提案されている。すなわち、図６に示すように、箱体を構成する側面１０１，１０２（図示せず）と妻面１０３，１０４（図示せず）とを交互に連接し、各側面及び妻面の底辺１１７〜１２０を連接した紙箱であって、一つの側面の底面構成部材は妻面底辺の半巾以下の巾の半底面板１１７とし、他方の底面構成部材は底面全体に亘る全底面板１１８とし、妻面１０３，１０４（図示せず）の底面構成部材１１９，１２０は略台形とし、各底板は隣接する半底面板１１７又は全底面板１１８に一部が接着して底蓋が構成され、全底面板１１８に接着させる底板の一部を更に延長させて接着部１１９ｂ、１２５を形成し、該接着部の延長基部に剛性緩和用の切込み１２６を設けた紙箱の底部構造が提案されている（例えば、特許文献１参照）。全底面板１１８は、折り目１１８ａ（図示せず）を持っている。
【０００６】
また、折り畳み容器の側面の延長部分等を所定位置に折り返した状態を維持するために、該延長部分の先端に突起を設け、該突起を側面下端に設けた溝に差し込む構成も提案されている（例えば、特許文献２参照）。
【先行技術文献】
【特許文献】
【０００７】
【特許文献１】実開昭５７−１８０６１７号公報
【特許文献２】特開平１０−４５１２２号公報
【発明の概要】
【発明が解決しようとする課題】
【０００８】
前記特許文献１等によって提案された紙箱は、図６を参照して、接着部１１９ｂが側面１０１と半底面板１１７との境界稜線まで延びておらず、また接着部１２５が側面１０２（図示せず）と全底面板１１８との境界凌線まで延びておらず、半底面板１１７及び全底面板１１８の底面としての耐久性が低い。そのため、この紙箱は、液体を充填した瓶等を収容する容器や比重の大きな物体を収容する容器用としては不適切である。すなわち、この箱に重量物を収容した場合、底板部が下向きに歪んだり、接着が剥がれていわゆる底抜けになる恐れがある。
【０００９】
前記特許文献１等によって提案された紙箱は、また、上述したように接着部の延長基部に剛性緩和用の切込み１２６を設けている。しかし、それでも折り畳み容器を折り畳み状態から展張して組み立てた時、全底面板１１８は接着部１２５の下方へ引っ張る力を超えて折り畳み状態に戻ろうとする力すなわち全底面板１１８が持ち上がろうとする力が残存している。その結果、展張後に直ちに折り畳み容器に重量のある物体を入れるか、手で全底面板１１８を押し下げる等する必要がある。この底板が持ち上がるという性向は、該折り畳み容器に軽い物体を入れた場合は、底部が持ち上がって傾斜することにより、底板上で整列していた収容物が転倒したり散乱するという不都合が生じてしまう。持ち上がった底板上に初めて商品を入れるときも同様な不都合が発生する。
【００１０】
（発明の目的）
本発明は、従来の折り畳み容器に関する上述した問題に鑑みてなされたものであって、底部が強固で耐久力があり、一方収容物が少なくなったり無くなったりしても、底面の水平・平面性が維持され、展示会の展示品の整理用や販売用ショウケースの商品の整理・展示用に好適に使用できる折り畳み容器を提供することを目的とする。
【００１１】
本発明はまた、折り畳み及び展張（セットアップ）の操作が容易で、かつ不使用で保管管理している折り畳み状態及び展張（セットアップ）の状態が高精度に再現でき、さらに、折り畳み及び展張を繰り返して使用可能な期間すなわち製品寿命が長い折り畳み容器を提供することを目的とする。
【課題を解決するための手段】
【００１２】
本発明は、第１長側面部（Ａ）と、第１短側面部（Ｂ）と，第２長側面部（Ｃ）と、第２短側面部（Ｄ）とを有し、
第１長側面部（Ａ）の第１下辺（１）から延びた長方形の下長底面部（Ｆ）と、第２長側面部（Ｃ）の第２下辺（２）から延びた上長底面部（Ｅ）と、第１短側面部（Ｂ）の第３下辺（３）から延びた台形の第１短底面部（Ｇ）と、第２短側面部（Ｄ）の第４下辺（４）から延びた台形の第２短底面部（Ｈ）とを有し、
上長底面部（Ｅ）の先端に設けられた突起（５）と、第１下辺（１）に設けられて前記突起（５）が挿入される溝（１０）とを有し、
第１短底面部（Ｇ）が、第１短側面部（Ｂ）の第３下辺（３）に対し４５°傾斜した第１折り線（１２）を介してかつ該第１折り線（１２）から下長底面部（Ｆ）の方向へ延び、下長底面部（Ｆ）に貼付される第１のりしろ（Ｊ）を有し、
第２短底面部（Ｈ）が、第２短側面部（Ｄ）の第４下辺（４）に対し４５°傾斜した第２折り線（１４）を介してかつ該第２折り線（１４）から上長底面部（Ｅ）の方向へ延び、上長底面部（Ｅ）へ貼付される第２のりしろ（Ｋ）を有し、
上長底面部（Ｅ）の第２短底面部（Ｈ）側の領域が、上長底面部（Ｅ）の先端側が第２長側面部（Ｃ）と前記第２短側面部（Ｄ）との第１境界辺（６）の延長線から離れるように傾斜した強化山折り線（１６）を有し、下長底面部（Ｆ）の第２短底面部（Ｇ）側の先端側が、第１長側面部（Ａ）と第１短側面部（Ｂ）との第２境界辺（７）の延長線から離れるように傾斜し、
第１のりしろ（Ｊ）が、第３下辺（３）の延長方向に関し下長底面部（Ｆ）側の端辺（２４）より凹みかつ第１折り線（１２）に沿った第１切り込み（２２）を有し、第２のりしろ（Ｋ）が、第４下辺（４）の延長方向に関し上長底面部（Ｅ）側の端辺（２０）より凹みかつ第２折り線（１４）に沿った第２切り込み（２６）を有することを特徴とする折り畳み容器である。
【発明の効果】
【００１３】
本発明によれば、底部が強固で耐久力があり、一方収容物が少なくなったり無くなったりしても、底面の水平・平面性が維持され、展示会の展示品の整理用や販売用ショウケースの商品の整理・展示用に好適に使用できる折り畳み容器を提供することができる。
【００１４】
本発明によればまた、折り畳み及び展張（セットアップ）の操作が容易で、かつ不使用で保管管理している折り畳み状態及び展張（セットアップ）の状態が高精度に再現でき、さらに、折り畳み及び展張を繰り返して使用可能な期間すなわち製品寿命が長い折り畳み容器を提供することができる。
【００１５】
（発明の実施態様１）
前記第１長側面部（Ａ）と、第１短側面部（Ｂ）と，第２長側面部（Ｃ）と、第２短側面部（Ｄ）との内の少なくとも一つが、通気孔（Ｌ）を有することを特徴とする。
【００１６】
（発明の実施態様２）
前記第１長側面部（Ａ）と、第１短側面部（Ｂ）と，第２長側面部（Ｃ）と、第２短側面部（Ｄ）との少なくとも一つが、上端にタグを（Ｔ）をすることを特徴とする。
【図面の簡単な説明】
【００１７】
【図１】本発明の実施例の折り畳み容器の展開図である。
【図２】本発明の実施例の展張途中の状態の折り畳み容器の平面図である。
【図３】本発明の実施例の展張途中の状態の折り畳み容器の底面図である。
【図４】本発明の実施例の展張された状態の折り畳み容器の平面図である。
【図５】本発明の実施例の展張された状態の折り畳み容器の底面図である。
【図６】公知の折り畳み容器の展張途中の状態の底面斜視図である。
【発明を実施するための形態】
【００１８】
（構成）
以下に、本発明の実施例を図に基づいて説明する。
本実施例の折り畳み容器１は、アイスクリーム等の商品を冷凍ショウケースにおいて陳列する、すなわち収納した商品を整列させて積み上げ、無くなった場合に補充し、また並べ替えたり、入れ替えたりすることを効率的に行うことができ、さらに長期にわたり繰り返し使用することができる折り畳み容器であり、上部が開放されており、蓋部材はない。
【００１９】
折り畳み容器１は、吸水性のない汚れにくい表面を持った紙又は樹脂製のシートを裁断することによって形成される。折り畳み容器１は、図１に示すように、順次連続して形成される長方形の第１長側面部Ａと、第１短側面部Ｂと，第１長側面部Ａと同じ形・寸法の第２長側面部Ｃと、第１短側面部Ｂと同じ形・寸法の第２短側面部Ｄとを有する。
第１長側面部Ａ、第１短側面部Ｂ，第２長側面部Ｃ、及び第２短側面部Ｄは、複数の縦長の通気孔Ｌが整列して形成される。
第１長側面部Ａの第１短側面部Ｂと反対側の端部には、第２短側面部Ｄに貼付される側面のりしろＭが形成される。
【００２０】
第１長側面部Ａは、その第１下辺１から延びた下長底面部Ｆを有する。第２長側面部Ｃは、その第２下辺２から延びた長方形の上長底面部Ｅを有する。
第１短側面部Ｂは、その第３下辺３から延びた台形の第１短底面部Ｇを有する。第２短側面部Ｄは、その第４下辺４から延びた台形の第２短底面部Ｈを有する。
【００２１】
第１短底面部Ｇは、第１短側面部Ｂの第３下辺３に対し４５°傾斜した第１折り線１２を介してかつ該第１折り線１２から下長底面部Ｆの方向へ延びた第１のりしろＪを有する。
第２短底面部Ｈは、第２短側面部Ｄの第４下辺４に対し４５°傾斜した第２折り線１４を介してかつ該第２折り線１４から上長底面部Ｅの方向へ延びた第２のりしろＫを有する。
【００２２】
上長底面部Ｅは、その先端に突起５を有する。突起５は、展張の際に第２下辺２に設けられた溝１０に挿入される。
【００２３】
第１のりしろＪは、第３下辺３の延長方向に関し下長底面部Ｆ側の端辺２４より凹んでおりかつ第１折り線１２に沿って形成された第１切り込み２２を有する。
第２のりしろＫは、第４下辺４の延長方向に関し上長底面部Ｅ側の端辺２０より凹んでおりかつ第２折り線１４に沿って形成された第２切り込み２６を有する。
【００２４】
上長底面部Ｅは、第２下辺２と第１境界辺６の第１交点３０から、先端に行くに従って第２短底面部Ｈから離れる方向へ延びた強化山折り線１６を有する。第１境界辺６は、第２長側面部Ｃと第２短側面部Ｄの境界である。
下長底面部Ｆは、第１下辺１と第２境界辺７の第２交点３４から、先端に行くに従って第１短底面部Ｇから離れる方向へ延びた直線上で切断されている。第２境界辺７は、第１長側面部Ａと第１短側面部Ｂの境界である。
【００２５】
（組み立て）
上長底面部Ｅにおいて、第２短底面部Ｈ側の折り返し部分Ｎが、図１に示す強化折り線１６が山折線となるようにすなわち紙面の裏側へ、折り返しされる。
【００２６】
次に、側面のりしろＭの表面または裏面に貼付のりを塗る。第１のりしろＪ及び第２のりしろＫの図１における裏面の各全面に貼付のりを塗る。
【００２７】
次に、図２〜図５に示すように、側面のりしろＭ、第１のりしろＪ及び第２のりしろＫの貼付のりを塗った面を、それぞれ第２短側面部Ｄ、上長底面部Ｅ及び半長底面部Ｆの第１図における表面に貼り付ける。
【００２８】
（折り畳み・展張）
上述した組み立てをした図２及び図３に示す状態の折り畳み容器を、同図における左右方向から押して左右方向の寸法を縮小させると、第１短底面部Ｇが、第１のりしろＪを介して下長底面部Ｆを引き下げる。また、第２短底面部Ｈが、第２のりしろＫを介して上長底面部Ｅを引き下げる。その結果、図４及び図５に示すように、容器として使用可能な展張状態となる。
【００２９】
折り返し部分Ｎを設けたため、この展張作動において、上長底面部Ｅと第２短側面部Ｄとの間に摩擦抵抗力が発生せず、展張を妨げられることはない。さらに、下長底面部Ｆが、第１下辺１と第２境界辺７の第２交点３４から、先端に行くに従って第２短底面部Ｇから離れる方向へ延びた直線上で切断されているため、下長底面部Ｆと第１短側面部Ｂとの間に摩擦抵抗力が発生せず、展張が妨げられることはない。
最後に、全長底面部Ｅを下方へ押し込み、全長底面部Ｅの突起５を溝１０に差し込む。
【００３０】
この展張の結果、折り畳み容器１の底部は、第１のりしろＪと下長底面部Ｆとの貼付及び第２のりしろＫと上長底面部Ｅとの貼付に加えて、上長底面部Ｅと半長底面部Ｆが、上長底面部Ｅと連続した折り返し部分Ｎを挟み込む。そのため、折り畳み容器の底部は、大きな剛性を有し、大きな耐久力を持った構成となり、重量物を収容しても底部が押し下げられて変形する恐れが小さくなる。
【００３１】
一方、上長底面部Ｅの突起５が溝１０に差し込まれているため、収容物が少なくなって底部への荷重が軽くなったり、さらに荷重ゼロになっても、上長底面部Ｅは所定の水平平面状態を維持する。この構成は、収容物の入れ替えを効率良く行うことができるだけでなく、安定した水平面上で収容物を常に継続して整頓状態にしておくことができるという大きな利点を有する。
【００３２】
収容物のない折り畳み容器を運搬したり保管するときは、折り畳む。折り畳みは、内部底部の強化折り線１６に指をかけて持ち上げ、突起５を溝１０から外す。
この作動は、全長底面部Ｅを第１下辺１を中心にして揺動するように持ち上げることになる。次いで、図２及び図３における上下方向に押し潰す。
【００３３】
この折り畳み時、第１のりしろＪが、第３下辺３の延長方向に関し下長底面部Ｆ側の端辺２４より凹んでおりかつ第１折り線１２に沿って形成された切り込み２２を有するため、下長底面部Ｆと第１短底面部Ｇが存在する底隅部は、シートが過剰に折り重なることがなく、容易に折り畳み状態にすることができる。
【００３４】
また、第２のりしろＫが、第４下辺４の延長方向に関し下長底面部Ｆ側の端辺２０より凹んでいてかつ第２折り線１４に沿って形成された切り込み２６を有するため、下長底面部Ｆと第２短底面部Ｈが存在する底隅部は、シートが過剰に折り重なることがなく、容易に折り畳み状態になることができる。
【符号の説明】
【００３５】
１          折り畳み容器
Ａ          第１長側面部
Ｂ          第１短側面部
Ｃ          第２長側面部
Ｄ          第２短側面部
Ｅ          全長底面部
Ｆ          半長底面部
Ｇ          第１短底面部
Ｈ          第２短底面部
Ｊ          第１のりしろ
Ｋ          第２のりしろ
Ｌ          通気孔
Ｍ          側面のりしろ
Ｎ          折り返し部分
２          第２下辺
３          第３下辺
４          第４下辺
５          突起
７          第２境界辺
１０        溝
１４        第２折り線
１６        強化折り線
２０        端辺
２１        辺
２２        第１切り込み
２６        第２切り込み
【図１】
2018135143.tif 000003
【図２】
2018135143.tif 000004
【図３】
2018135143.tif 000005
【図４】
2018135143.tif 000006
【図５】
2018135143.tif 000007
【図６】
2018135143.tif 000008